(57)【要約】【課題】  音や振動の反射を拡散させ、騒音を低減させることが可能な音振動物収納体を供給する。【解決手段】  表示手段１と、音や振動を発する音振動物である駆動本体２と、指針本体６と、回路基板８と、ケース体１２と、見返し部材１３と、を備えた計器装置Ｍにおいて、ケース体１２の駆動本体２と対向する部分に、凹部である複数の溝３１を互いに平行となるように形成した音振動拡散部３０を設けたものである。また、溝３１の断面形状を曲線や円弧とし、さらに、複数設けた溝３１の深さを不揃いとしたものである。【選択図】  図４
2010054400.tif 000002
【特許請求の範囲】
【請求項１】
音や振動を発する音振動物と、前記音振動物を収納するケース体と、を備えた音振動物収納体において、前記ケース体に凹部からなる音振動拡散部を設けたことを特徴とする音振動物収納体。
【請求項２】
前記音振動拡散部を前記ケース体の前記音振動物と対向する部分に設けたことを特徴とする請求項１に記載の音振動物収納体。
【請求項３】
前記凹部内に微細な凹凸を設けたことを特徴とする請求項１に記載の音振動物収納体。
【請求項４】
前記凹部を二つ以上設けたことを特徴とする請求項１に記載の音振動物収納体。
【請求項５】
前記二つ以上設けた凹部の深さを不斉としたことを特徴とする請求項４に記載の音振動物収納体。
【請求項６】
前記二つ以上設けた凹部の間に間隔を設けたことを特徴とする請求項４に記載の音振動物収納体。
【請求項７】
前記凹部を、溝あるいは点としたことを特徴とする請求項１に記載の音振動物収納体。
【請求項８】
前記溝あるいは点の断面形状を、曲線としたことを特徴とする請求項７に記載の音振動物収納体。
【請求項９】
前記溝あるいは点の断面形状を、円弧としたことを特徴とする請求項７に記載の音振動物収納体。
【請求項１０】
前記溝を二つ以上設けるとともに、この二つ以上の溝を平行に形成したことを特徴とする請求項７に記載の音振動物収納体。
【発明の詳細な説明】
【技術分野】
【０００１】
本発明は、駆動することによって、音や振動が発生するモータ、ブザーおよびスピーカなどの音振動物を収納する音振動物収納体に関する。
【背景技術】
【０００２】
従来の音振動物収納体は、例えば、車両用指針計器があり、この車両用指針計器は、指針と、この指針を保持する指針担体と、この指針担体の外周に設けたリングギアと、このリングギアに噛み合うギアを備えたステッピングモータとを備え、これら前記指針、前記指針担体５、前記ギアおよび前記ステッピングモータは、樹脂材料から形成されるケース内に収容固定されたものであった。
【特許文献１】特開２００４−３６１１８２号公報（特に、図２参照）
【発明の開示】
【発明が解決しようとする課題】
【０００３】
しかしながら、前記ステッピングモータが駆動することによって、前記ステッピングモータが発する音や振動が、前記ケースに反射し、騒音が発生するといった問題点があった。また、ブザーやスピーカの場合は、ブザーやスピーカを固定している回路基板などが振動して前記ケースに反射し、騒音が発生するといった問題点があった。
【０００４】
そこで、本発明は前述した問題点に着目し、音や振動の反射を拡散させ、騒音を低減させることが可能な音振動物収納体を供給することを目的とする。
【課題を解決するための手段】
【０００５】
本発明は、音や振動を発する音振動物と、前記音振動物を収納するケース体と、を備えた音振動物収納体において、前記ケース体に凹部からなる音振動拡散部を設けたものである。
【０００６】
また、本発明は、前記音振動拡散部を前記ケース体の前記音振動物と対向する部分に設けたものである。
【０００７】
また、本発明は、前記凹部内に微細な凹凸を設けたものである。
【０００８】
また、本発明は、前記凹部を二つ以上設けたものである。
【０００９】
また、本発明は、前記二つ以上設けた凹部の深さを不斉としたものである。
【００１０】
また、本発明は、前記二つ以上設けた凹部の間に間隔を設けたものである。
【００１１】
また、本発明は、前記凹部を、溝あるいは点としたものである。
【００１２】
また、本発明は、前記溝あるいは点の断面形状を、曲線としたものである。
【００１３】
また、本発明は、前記溝あるいは点の断面形状を、円弧としたものである。
【００１４】
また、本発明は、前記溝を二つ以上設けるとともに、この二つ以上の溝を平行に形成したものである。
【発明の効果】
【００１５】
本発明によれば、所期の目的を達成でき、音や振動の反射を拡散させ、騒音を低減させることが可能な音振動物収納体を供給することができる。
【発明を実施するための最良の形態】
【００１６】
以下、本発明を採用した第１実施形態を添付図面に基づいて説明する。
【００１７】
本実施形態の音振動物収納体は、車両用の計器装置Ｍであり、表示部である表示手段１と、音振動物である駆動本体２と、指針本体６と、指針本体６を照明する第１の光源７と、回路基板８と、第２の光源９と、第１の光源７と回路基板８とを電気的に接続する可撓性基板１０と、ケース体１２と、見返し部材１３およびフレーム１４を備えている。
【００１８】
表示手段１は、表示器１５と、この表示器１５を収納する収納ケース１６と、この収納ケース１６の開口１６ａを覆う前面カバー１７とで構成されている。この表示手段１は、適宜手段によって、回路基板８に固定されている。
【００１９】
表示器１５は、車両に関する情報などを表示するものである。車両に関する情報としては、経路誘導、車両に関する警告表示、また車両の外気温などを表示するものである。
【００２０】
表示器１５は、上記の情報を表示するために、ドットマトリックスの液晶表示素子１８を用いたものである。なお、１９は、液晶表示素子１８を照明する液晶用光源であり、２０は、光源１９からの光の集光や拡散などを行う光学部材であり、２１は、液晶表示素子１８、光源１９および光学部材２０を収納するケースであり、２２は、ケース２１を覆うカバーである。カバー２２には、液晶表示素子１８が露出する窓２３が設けられている。ケース２１には、支柱２４が設けられており、この支柱２４によって、表示器１５は、収納ケース１６に固定されている。
【００２１】
収納ケース１６は、遮光性の合成樹脂からなり、カップ状をしている。また、この収納ケース１６には、第２の光源９からの光を取り入れる開口２５が複数設けられている。
【００２２】
前面カバー１７は、透明な合成樹脂からなり、表示器１５や収納ケース１６内部を視認することができる。前面カバー１７は、文字板の機能を果たすものであり、速度を表す文字からなる指標部４を備えている。この指標部４は、前面カバー１７の背面（図２中下側の面）に、微細な凹凸によって、形成されている。また、前面カバー１７の板面の周囲には、駆動本体１方向に垂れ下がるように形成された壁部２７を備えている。この壁部２７は、前面カバー１７を収納ケース１６に固定する役割を果たすとともに、第２の光源９からの光を取り入れる役割を果たすものでもある。前面カバー１７に設けた指標部４は、開口２５を通して収納ケース１６内に取り込んだ光と、前面カバー１７の壁部２７から取り込んだ光によって照明される。
【００２３】
駆動本体２は、交差コイル式計器本体やステッピングモータなどの電動機で、回転する出力軸２６を備えており、指針本体６を回動させるものである。
【００２４】
指針本体６は、合成樹脂からなるアーム部３と、光を透過可能な合成樹脂からなる指示部５とで構成されている。
【００２５】
アーム部３は、合成樹脂からなり、表示手段１の外周を迂回するようにＬの字形状をしており、一端に指示部５を保持するとともに、他端で、駆動本体２の出力軸２６に装着されるものである。
【００２６】
指示部５は、アーム部３に固定され、アーム部３から表示手段１の中心方向へ延設されている。指示部５は、指標部４の文字や後述する目盛を指示するものである。
【００２７】
第１の光源７は、発光ダイオードからなり、指示部５に光を供給して発光させるものである。この第１の光源７は、可撓性基板１０に実装されるとともに、指針本体６のアーム部３に固定されている。
【００２８】
回路基板８は、表示手段１の背面側（図２中下側）に配設されている。この回路基板８は、ガラスエポキシ樹脂などからなる硬質の絶縁材料からなる基板である。この回路基板８には、表示手段１、駆動本体２、第２の光源９およびフレーム１４が固定されている。そして、回路基板８の表面には、図示しない導体を備えており、この導体を介して、表示手段１の表示器１５、駆動本体２および第２の光源９に電力を供給するものである。
【００２９】
第２の光源９は、発光ダイオードからなり、表示手段１の表示器１５の周囲、収納ケース１６内、指標部４を照明するものである。
【００３０】
可撓性基板１０は、ポリイミドなどの軟質の絶縁材料からなる基板であり、図示しない導電体を備えている。この可撓性基板１０は、一端に第１の光源７が実装されており、他端に図示しないコネクタなどで、回路基板８と電気的に接続している。そして、この可撓性基板１０の一部は、指針本体６のアーム部３に配設されている。
【００３１】
ケース体１２は、遮光性の合成樹脂からなり、表示手段１、駆動本体２、指針本体６および回路基板８などの計器装置Ｍの構成部品を収納するものである。
【００３２】
ケース体１２は、音振動拡散部３０を備えている。この音振動拡散部３０は、ケース体１２の駆動本体２と対向する部分、本実施形態では、ケース体１２の底面１２ｂに設けてある。なお、本実施形態では、底面１２ｂの全面に設けてあるが、底面１２ｂの全面に設ける必要はなく、駆動本体２の近接する部分に設けたものであってもよい。
【００３３】
音振動拡散部３０は、二つ以上の溝３１からなる凹部で形成されている。この溝３１の断面形状は、曲線が好ましく、本実施形態では、円弧である。この複数の溝３１は、平行となるように形成され、また、複数の溝３１の間に間隔３２を設けてある。この間隔３２を設けた部分は、本実施形態では、平坦な面である。また、間隔３２の幅は、本実施形態では、ほぼ同一であるが、本実施形態に限定されるものではなく、不揃いであってもよい。
【００３４】
また、複数設けた溝３１の深さは、そろっておらず不斉である。また、溝３１内に微細な凹凸を設けてある。
【００３５】
見返し部材１３は、遮光性の合成樹脂からなり、ケース体１２の開口１２ａに設けられるものである。この見返し部材１３には、指標部を構成する目盛２９が一体形成されている。この目盛２９は、前面カバー１７に設けた指標部４とともに車両の速度を表すものである。
【００３６】
フレーム１４は、白色の合成樹脂からなり、第２の光源９からの光を効率よく表示手段１に反射する反射体である。このフレーム１４は、第２の光源９からの光を出力軸２６を中心に外側へ放射するように反射する第１の反射体１４ａと、この第１の反射体１４ａで反射した光を表示手段１側へ反射する第２の反射体１４ｂとで構成されている。
【００３７】
以上のように、ケース体１２に、凹部である溝３１からなる音振動拡散部３０を設けたことによって、駆動本体２などの音振動物によって発生する音や振動の反射する方向を溝３１で拡散させ、騒音を低減させることができる。また、音や振動が反射する経路を伸ばすことができ、経路が伸びることによって、音や振動が空気中で減衰し、騒音を低減することができる。
【００３８】
また、音振動拡散部３０をケース体１２の駆動本体２と対向する部分に設けたことによって、良好に駆動本体２などの音振動物によって発生する音や振動の反射する方向を溝３１で拡散させ、騒音を低減させることができる。
【００３９】
また、溝３１内に微細な凹凸を設けたことによって、さらに、駆動本体２などの音振動物によって発生する音や振動の反射する方向を溝３１で拡散させ、騒音を低減させることができる。
【００４０】
また、溝３１を二つ以上設けたことによって、音振動拡散部３０をケース体１２の駆動本体２と対向する部分に設けることができる。
【００４１】
また、二つ以上設けた溝３１の深さを不斉としたことによって、さらに、駆動本体２などの音振動物によって発生する音や振動の反射する方向と、反射する距離を違えることができ、騒音を低減させることができる。
【００４２】
また、二つ以上設けた溝３１の間に間隔３２を設けたことによって、溝３１間のケース体１２の破損を抑えることができる。また、この溝３１の間の間隔３２に微細な凹凸を施すことによって、間隔３２による音や振動の反射する方向を拡散させ、騒音を低減させることができる。また、間隔３２を平坦な面ではなく、上方向に突出させ、その断面形状を曲線や円弧としてもよい。
【００４３】
溝３１の断面形状を、円弧としたことによって、駆動本体２などの音振動物によって発生する音や振動の反射する方向を溝３１で拡散させ、騒音を低減させることができる。なお、溝３１の断面形状は、円弧に限定されるものではなく、曲線であればよい。
【００４４】
また、溝３１を二つ以上設けるとともに、この二つ以上の溝を平行に形成することによって、音振動拡散部３０を容易に形成することができる。
【００４５】
なお、前記実施形態では、音振動拡散部３０を形成する凹部は、溝３１であったが、前記実施形態に限定されるものではなく、図５、６で示す第２実施形態のように、円形の点３３であってもよい。なお、点の形状も円形に限定されるものではなく、三角形などであってもよい。また、点３３を複数設ける配置も、図５、６で示すように格子状でもよいし、不規則に設けてもよく、適宜設定可能である。
【図面の簡単な説明】
【００４６】
【図１】本発明の第１実施形態の計器装置の正面図。
【図２】図１中Ａ−Ａ線の断面図。
【図３】図２中矢印Ｂ方向から見たケース体の正面図。
【図４】図３中Ｃ−Ｃ線の断面図。
【図５】本発明の第２実施形態のケース体の正面図。
【図６】図５中Ｄ−Ｄ線の断面図。
【符号の説明】
【００４７】
Ｍ      計器装置（音振動物収納体）
２      駆動本体（音振動物）
１２      ケース体
１２ｂ    底面
３０      音振動拡散部
３１      溝
３２      間隔
３３      点
【図１】
2010054400.tif 000003
【図２】
2010054400.tif 000004
【図３】
2010054400.tif 000005
【図４】
2010054400.tif 000006
【図５】
2010054400.tif 000007
【図６】
2010054400.tif 000008